【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
船舶に搭載され、バラスト水から被除去物を除去する水処理装置と、該水処理装置で処理されたバラスト水を貯留するバラストタンクと、を備えたバラスト水処理システムにおいて、
前記バラスト水の水質をモニタリングするモニタリング装置と、
前記モニタリング装置のモニタリング結果に基づいて前記水処理装置の運転条件をコントロールする制御装置と、
を備え、
前記モニタリング装置は、前記水処理装置の入口部における前記バラスト水の水質、前記水処理装置の出口部における前記バラスト水の水質、及び前記バラストタンク内の前記バラスト水の水質、のうち少なくとも１以上をモニタリングし、
前記制御装置は、
前記モニタリングした前記バラスト水の水質に基づいて、前記水処理装置の運転状況、又は前記バラストタンク内のバラスト水の前記水処理装置への循環及び当該循環したバラスト水の前記水処理装置における再処理をコントロールする、
ことを特徴とするバラスト水処理システム。
【請求項２】
前記モニタリング装置は、前記水処理装置の入口部における水質、及び前記水処理装置の出口部における水質をモニタリングし、
前記制御装置は、
前記モニタリングした前記水処理装置の入口部における水質と前記水処理装置の出口部における水質とを比較し、当該比較結果に基づいて前記水処理装置の運転状況をコントロールすることを特徴とする、請求項１に記載のバラスト水処理システム。
【請求項３】
前記バラストタンク内のバラスト水、又は、該バラストタンクから外部に排出されるバラスト水を前記水処理装置に循環させるラインをさらに備え、
前記モニタリング装置は前記バラストタンク内の水質をモニタリングし、
前記制御装置は、
前記モニタリングした前記バラストタンク内の水質と許容値とを比較し、前記モニタリングした前記バラストタンク内の水質が前記許容値よりも低下した場合は前記バラストタンク内のバラスト水を前記ラインを介して前記水処理装置に循環させて前記水処理装置で再処理されるようコントロールする、
ことを特徴とする、請求項１または２に記載のバラスト水処理システム。
【請求項４】
前記モニタリング装置は、前記水処理装置の出口部における水質及び前記バラストタンク内の水質をモニタリングし、
前記制御装置は、
前記モニタリングした前記バラストタンク内の水質と前記水処理装置の出口部における水質とが略同じになったら前記バラストタンク内のバラスト水の前記水処理装置への循環及び前記水処理装置での再処理を中止するようコントロールする、
ことを特徴とする、請求項３に記載のバラスト水処理システム。
【請求項５】
前記モニタリング装置は前記バラストタンク内の水質をモニタリングし、
前記制御装置は、
前記バラスト水を排水する際に、前記モニタリングした前記バラストタンク内のバラスト水の水質が許容値を満足する場合は前記バラスト水を前記循環及び再処理なしに排水し、前記水質が前記許容値を満足しない場合は前記バラスト水を前記ラインを介して前記水処理装置に循環させて前記水処理装置で再処理されるようコントロールする、
ことを特徴とする請求項３または４に記載のバラスト水処理システム。
【請求項６】
前記モニタリング装置は、サンプリング管を介して前記バラスト水を自動的に取り込んで前記水質をモニタリングすることを特徴とする、請求項１〜５のいずれか一つに記載のバラスト水処理システム。
【請求項７】
前記水処理装置は、大型の水生生物や浮遊物質を物理的に除去して前記バラストタンク内にマッドの堆積を防止する物理除去装置を備えることを特徴とする、請求項１〜６のいずれか一つに記載のバラスト水処理システム。
【請求項８】
前記水処理装置は、殺菌剤を用いて小型の水生生物を死滅させる殺菌装置をさらに備えることを特徴とする、請求項７に記載のバラスト水処理システム。
【請求項９】
前記水処理装置は、
前記バラスト水に凝集剤を注入し、攪拌することによって前記被除去物を凝集させる凝集装置と、
前記凝集装置で発生した凝集物を分離・除去する分離・除去装置と、
を備えることを特徴とする請求項１〜６のいずれか一つに記載のバラスト水処理システム。
【請求項１０】
前記制御装置は、前記モニタリング装置のモニタリング結果に基づいて前記凝集装置を制御し、前記凝集剤の注入量を調節することを特徴とする請求項９に記載のバラスト水処理システム。
【請求項１１】
前記分離・除去装置は、磁気分離とフィルタ分離とを組み合わせた構成であることを特徴とする請求項９または１０に記載のバラスト水処理システム。
【請求項１２】
前記モニタリング装置は、前記バラスト水の濁度、色度の少なくとも一方を測定してモニタリングすることを特徴とする請求項１〜１１のいずれか一つに記載のバラスト水処理システム。
【請求項１３】
前記モニタリング装置は、前記バラスト水を画像解析することによってモニタリングすることを特徴とする請求項１〜１２のいずれか一つに記載のバラスト水処理システム。
【請求項１４】
前記制御装置は、前記水処理装置が単位時間に処理する処理量をコントロールすることを特徴とする請求項１〜１３のいずれか一つに記載のバラスト水処理システム。
【請求項１５】
取水されたバラスト水又はバラストタンクに貯留されたバラスト水を処理可能な水処理装置を備えた船舶であって、
前記水処理装置は、
前記バラスト水の水質をモニタリングするモニタリング装置と、
前記モニタリング装置のモニタリング結果に基づいて前記水処理装置の運転条件をコントロールする制御装置と、
を備え、
前記モニタリング装置は、前記水処理装置の入口部における前記バラスト水の水質、前記水処理装置の出口部における前記バラスト水の水質、及び前記バラストタンク内の前記バラスト水の水質、のうち少なくとも１以上をモニタリングし、
前記制御装置は、
前記モニタリングした前記バラスト水の水質に基づいて、前記水処理装置の運転状況、又は前記バラストタンク内のバラスト水の前記水処理装置への循環及び当該循環したバラスト水の前記水処理装置における再処理をコントロールする、ことを特徴とする船舶。
【請求項１６】
前記モニタリング装置は、前記水処理装置の入口部における水質、及び前記水処理装置の出口部における水質をモニタリングし、
前記制御装置は、
前記モニタリングした前記水処理装置の入口部における水質と前記水処理装置の出口部における水質とを比較し、当該比較結果に基づいて前記水処理装置の運転状況をコントロールすることを特徴とする、請求項１５に記載の船舶。
【請求項１７】
前記バラストタンク内のバラスト水、又は、該バラストタンクから外部に排出されるバラスト水を前記水処理装置に循環させるラインを備え、
前記モニタリング装置は前記バラストタンク内の水質をモニタリングし、
前記制御装置は、
前記モニタリングした前記バラストタンク内の水質と許容値とを比較し、前記モニタリングした前記バラストタンク内の水質が前記許容値よりも低下した場合は前記バラストタンク内のバラスト水を前記ラインを介して前記水処理装置に循環させて前記水処理装置で再処理されるようコントロールすることを特徴とする、請求項１５または１６に記載の船舶。
【請求項１８】
前記モニタリング装置は、前記水処理装置の出口部における水質及び前記バラストタンク内の水質をモニタリングし、
前記制御装置は、
前記モニタリングした前記バラストタンク内の水質と前記水処理装置の出口部における水質とが略同じになったら前記バラストタンク内のバラスト水の前記水処理装置への循環及び前記水処理装置での再処理を中止するようコントロールすることを特徴とする、請求項１５又は１６に記載の船舶。
【請求項１９】
前記モニタリング装置は前記バラストタンク内の水質をモニタリングし、
前記制御装置は、
前記バラスト水を排水する際に、前記モニタリングした前記バラストタンク内のバラスト水の水質が許容値を満足する場合は前記バラスト水を前記循環及び再処理なしに排水し、前記水質が前記許容値を満足しない場合は前記バラスト水を前記ラインを介して前記水処理装置に循環させて前記水処理装置で再処理されるようコントロールすることを特徴とする、請求項１７に記載の船舶。
【手続補正２】
【補正対象書類名】明細書
【補正対象項目名】発明の名称
【補正方法】変更
【補正の内容】
【発明の名称】バラスト水処理システム及び船舶
【手続補正３】
【補正対象書類名】明細書
【補正対象項目名】００１９
【補正方法】変更
【補正の内容】
【００１９】
請求項５は請求項３または４の発明において、前記モニタリング装置は前記バラストタンク内の水質をモニタリングし、前記制御装置は、前記バラスト水を排水する際に、前記モニタリングした前記バラストタンク内のバラスト水の水質が許容値を満足する場合は前記バラスト水を前記循環及び再処理なしに排水し、前記水質が前記許容値を満足しない場合は前記バラスト水を前記ラインを介して前記水処理装置に循環させて前記水処理装置で再処理されるようコントロールすることを特徴とする。
【手続補正４】
【補正対象書類名】明細書
【補正対象項目名】００２８
【補正方法】変更
【補正の内容】
【００２８】
本発明は、バラスト水の被除去物を凝集させて分離・除去する凝集分離方式であり、殺菌方式のように殺菌剤を注入する必要がなく、バラストタンクの塗装や環境に対する負荷を無くすことができる。なお、分離・除去装置は、重力沈降、加圧浮上、磁気分離、フィルタ分離などを用いることができる。
請求項１０に記載の発明は、請求項９の発明において、前記制御装置は、前記モニタリング装置のモニタリング結果に基づいて前記凝集装置を制御し、前記凝集剤の注入量を調節することを特徴とする。
本発明によれば、バラスト水の水質に応じて凝集剤の注入量を制御するので、凝集剤を過不足なく注入することができる。したがって、凝集剤の過剰注入によって凝集剤が残留することを防止でき、バラスト水の排出時における環境負荷を最小限に抑制することができる。
請求項１１に記載の発明は、請求項９または１０の発明において、前記分離・除去装置は、磁気分離とフィルタ分離とを組み合わせた構成であることを特徴とする。
本発明によれば、磁気分離とフィルタ分離とを組み合わせるようにしたので、凝集物の分離・回収を高速且つ高精度で行うことができる。なお、本発明では、凝集前のバラスト水に磁性粉を混入させることが好ましい。また、磁気分離は永久磁石、超伝導磁石などの磁石を用いて行うことが好ましく、フィルタ分離は１０〜５０μｍの金属性又は樹脂性のフィルタを用いることが好ましい。
請求項１２に記載の発明は、請求項１〜１１のいずれか１の発明において、前記モニタリング装置は、前記バラスト水の濁度、色度の少なくとも一方を測定してモニタリングすることを特徴とする。
本発明によれば、濁度又は色度の少なくとも一方を測定してモニタリングするようにしたので、バラスト水中の水生生物濃度を間接的に概算することができる。また、濁度計、色度計は多くの汎用装置が開発されており、水質のモニタリングを確実に且つ低コストで行うことができる。
請求項１３に記載の発明は、請求項１〜１２のいずれか１の発明において、前記モニタリング装置は、前記バラスト水を画像解析することによってモニタリングすることを特徴とする。
本発明によれば、バラスト水を画像解析することによってバラスト水の水質をモニタリングするので、バラスト水中の水生生物濃度を直接的に求めることができる。
請求項１４に記載の発明は、請求項１〜１３のいずれか１の発明において、前記制御装置は、前記水処理装置が単位時間に処理する処理量をコントロールすることを特徴とする。
本発明によれば、単位時間あたりの処理量、すなわち、水処理装置での滞留時間を制御するようにしたので、バラスト水中の被除去物が多い場合であっても、被除去物を効率よく除去することができる。たとえば、殺菌方式の水処理装置を用いた場合、単位時間あたりの処理量を制御することによって殺菌剤との接触時間を制御することができる。したがって、赤潮等で高濃度の生物が流入した場合であっても、殺菌処理を効率よく行うことができる。また、凝集分離方式の水処理装置を用いた場合は、単位時間あたりの処理量を制御することによって凝集装置での滞留時間をコントロールすることができる。したがって、赤潮等で高濃度の生物が流入した場合であっても、水生生物の凝集処理を確実に行うことができる。
請求項１５に記載の発明は、取水されたバラスト水又はバラストタンクに貯留されたバラスト水を処理可能な水処理装置を備えた船舶であって、前記水処理装置は、前記バラスト水の水質をモニタリングするモニタリング装置と、前記モニタリング装置のモニタリング結果に基づいて前記水処理装置の運転条件をコントロールする制御装置と、を備え、前記モニタリング装置は、前記水処理装置の入口部における前記バラスト水の水質、前記水処理装置の出口部における前記バラスト水の水質、及び前記バラストタンク内の前記バラスト水の水質、のうち少なくとも１以上をモニタリングし、前記制御装置は、前記モニタリングした前記バラスト水の水質に基づいて、前記水処理装置の運転状況、又は前記バラストタンク内のバラスト水の前記水処理装置への循環及び当該循環したバラスト水の前記水処理装置における再処理をコントロールすることを特徴とする。
請求項１６に記載の発明は、請求項１５において、前記モニタリング装置は、前記水処理装置の入口部における水質、及び前記水処理装置の出口部における水質をモニタリングし、前記制御装置は、前記モニタリングした前記水処理装置の入口部における水質と前記水処理装置の出口部における水質とを比較し、当該比較結果に基づいて前記水処理装置の運転状況をコントロールすることを特徴とする。
請求項１７に記載の発明は、請求項１５または１６において、前記バラストタンク内のバラスト水、又は、該バラストタンクから外部に排出されるバラスト水を前記水処理装置に循環させるラインを備え、前記モニタリング装置は前記バラストタンク内の水質をモニタリングし、前記制御装置は、前記モニタリングした前記バラストタンク内の水質と許容値とを比較し、前記モニタリングした前記バラストタンク内の水質が前記許容値よりも低下した場合は前記バラストタンク内のバラスト水を前記ラインを介して前記水処理装置に循環させて前記水処理装置で再処理されるようコントロールすることを特徴とする。
請求項１８に記載の発明は、請求項１５または１６において、前記モニタリング装置は、前記水処理装置の出口部における水質及び前記バラストタンク内の水質をモニタリングし、前記制御装置は、前記モニタリングした前記バラストタンク内の水質と前記水処理装置の出口部における水質とが略同じになったら前記バラストタンク内のバラスト水の前記水処理装置への循環及び前記水処理装置での再処理を中止するようコントロールすることを特徴とする。
請求項１９に記載の発明は、請求項１７において、前記モニタリング装置は前記バラストタンク内の水質をモニタリングし、前記制御装置は、前記バラスト水を排水する際に、前記モニタリングした前記バラストタンク内のバラスト水の水質が許容値を満足する場合は前記バラスト水を前記循環及び再処理なしに排水し、前記水質が前記許容値を満足しない場合は前記バラスト水を前記ラインを介して前記水処理装置に循環させて前記水処理装置で再処理されるようコントロールすることを特徴とする。